(57)【要約】  ヘッドフォン（１０）は、ヘッドバンド（１１）、放音部（１２Ｌ，１２Ｒ）を備える。ヘッドバンド（１１）は、アーチ状に湾曲する帯状体である。放音部（１２Ｌ，１２Ｒ）は、平板状であり、ヘッドバンド（１１）の両端に配置されている。放音部（１２Ｌ，１２Ｒ）は、平板状の放音用ハウジング（１２０）の平板面に配置された平膜状の圧電アクチュエータ（２０）を備える。圧電アクチュエータ（２０）は、ＰＬＬＡ等の有機圧電材料からなる圧電フィルム（２００）と、該圧電フィルム（２００）の対向する主面に配置された第１、第２駆動用導体（２０１，２０２）から構成される。
2015045993.tif 000002
【特許請求の範囲】
【請求項１】
アーチ形状のヘッドバンドと、
該ヘッドバンドの両端に装着された放音用ハウジングと、を備えるヘッドフォンであって、
前記放音用ハウジングは平板状であり、
該放音用ハウジングには、
有機圧電フィルムおよび駆動用導体を備えた平膜状の圧電アクチュエータが装着されている、
ことを特徴とするヘッドフォン。
【請求項２】
前記ヘッドバンドの内周面における前記アーチ形状が伸長する方向の中央と両端との間の特定位置に、スペーサ部材を備える、
請求項１に記載のヘッドフォン。
【請求項３】
前記ヘッドバンドには、有機圧電フィルムおよび検出用導体を備えた平膜状の圧電センサが装着されている、請求項１または請求項２に記載のヘッドフォン。
【請求項４】
前記有機圧電フィルムの少なくとも１層はポリ乳酸からなる、
請求項１乃至請求項３のいずれかに記載のヘッドフォン。
【請求項５】
前記有機圧電フィルムの少なくとも１層はポリフッ化ビニリデンからなる、
請求項１乃至請求項３のいずれかに記載のヘッドフォン。
【請求項６】
前記放音用ハウジングは、透光性を有する絶縁性材料からなり、
前記駆動用導体は、透光性を有する導電性材料からなる、
請求項１乃至請求項４のいずれかに記載のヘッドフォン。
【請求項７】
前記ヘッドバンド、前記放音用ハウジング、および、前記スペーサ部材は、透光性を有する絶縁性材料からなり、
前記圧電アクチュエータは、透光性を有する材料からなる、
請求項２に記載のヘッドフォン。
【請求項８】
前記ヘッドバンド、および、前記放音用ハウジングは、透光性を有する絶縁性材料からなり、
前記圧電アクチュエータおよび前記圧電センサは、透光性を有する材料からなる、
請求項３に記載のヘッドフォン。
【請求項９】
前記ヘッドバンドと前記放音用ハウジングは一体成形されている、
請求項７または請求項８に記載のヘッドフォン。
【発明の詳細な説明】
【技術分野】
【０００１】
本発明は、圧電素子を用いたスピーカ部を備えるヘッドフォンに関するものである。
【背景技術】
【０００２】
従来、各種のヘッドフォンが考案され、実使用されている。この中で、特許文献１に記載されているような圧電体を利用したヘッドフォンも考案されている。【０００３】
特許文献１に記載のヘッドフォンは、当該ヘッドフォンを頭に装着するためのバンドと、該バンドの両端に装着されたイヤーパッド付きのスピーカ部とを備える。放音筐体内には、圧電セラミックス板を用いたスピーカが装着されている。この圧電セラミックス板を放音用駆動信号で駆動することで、ユーザの耳の鼓膜に向けて放音する。さらに、特許文献１に記載のヘッドフォンでは、圧電セラミックス板を備えるスピーカ部が、ユーザの皮膚を介して骨に接触するようにすることで、骨伝導でもユーザに音を提供している。
【先行技術文献】
【特許文献】
【０００４】
【特許文献１】特開２００７−１９９５７号公報
【発明の概要】
【発明が解決しようとする課題】
【０００５】
しかしながら、特許文献１のヘッドフォンでは、鼓膜への放音と骨伝導用振動を、一つの圧電セラミックス板で行う必要があるため、圧電セラミックス板の大きさが大きくなってしまい、重量も重くなってしまう。【０００６】
また、圧電セラミックス板の形状が大きくなることで、振動時に割れやすくなってしまう。【０００７】
また、特許文献１のヘッドフォンでは、スピーカ部のイヤーパッドに流体を充填しているので、スピーカ部の形状が厚くなってしまう。このため、薄型にスピーカ部が形成できるはずの圧電セラミックス板を用いても、結果的にスピーカ部が、厚く、大きくなってしまう。【０００８】
本発明の目的は、薄型軽量で且つ音質特性の良好なヘッドフォンを提供することである。
【課題を解決するための手段】
【０００９】
この発明は、アーチ形状のヘッドバンドと、該ヘッドバンドの両端に装着された放音用ハウジングと、を備えるヘッドフォンに関するものであり、放音用ハウジングは平板状であり、該放音用ハウジングには、有機圧電フィルムおよび駆動用導体を備えた平膜状の圧電アクチュエータが装着されている、ことを特徴としている。【００１０】
この構成では、圧電アクチュエータの振動によって平板状の放音用ハウジングが振動し、平板面に直交する方向に強い指向性を有するように、放音される。ヘッドバンドをユーザの頭に装着すると、この指向性の強い方向は、ユーザの耳の方向となるので、放音した音は、効果的にユーザの耳へ伝達される。また、有機圧電フィルムを用いているため、薄型で軽量に構成することができる。【００１１】
また、この発明のヘッドフォンは、ヘッドバンドの内周面における前記アーチ形状が伸長する方向の中央と両端との間の特定位置に、スペーサ部材を備えることが好ましい。【００１２】
この構成では、スペーサ部材がユーザの頭に当接することで、放音用ハウジングを、耳から離すことができる。これにより、ヘッドフォンの放つ音を聞きながら、外部からの音も聞くことができる。【００１３】
また、この発明のヘッドフォンは、ヘッドバンドには、有機圧電フィルムおよび検出用導体を備えた平膜状の圧電センサが装着されていることが好ましい。【００１４】
この構成では、圧電センサによって操作入力を受け付けることができる。【００１５】
また、この発明のヘッドフォンは、有機圧電フィルムの少なくとも１層はポリ乳酸もしくはポリフッ化ビニリデンからなることが好ましい。【００１６】
この構成では、薄型でありながら、圧電変換効率の高いスピーカを実現することができる。【００１７】
また、この発明のヘッドフォンでは、放音用ハウジングは、透光性を有する絶縁性材料からなり、駆動用導体は透光性を有する導電性材料からなることが好ましい。【００１８】
この構成では、ヘッドフォンにおけるユーザの耳に対向する部分を、透けて見えるようにすることができる。【００１９】
また、この発明のヘッドフォンでは、ヘッドバンド、放音用ハウジング、および、スペーサ部材は、透光性を有する絶縁性材料からなり、圧電アクチュエータは、透光性を有する材料からなることが好ましい。【００２０】
また、この発明のヘッドフォンでは、ヘッドバンド、および、放音用ハウジングは、透光性を有する絶縁性材料からなり、圧電アクチュエータおよび圧電センサは、透光性を有する材料からなることが好ましい。【００２１】
これらの構成では、ヘッドフォン全体を透けて見えるようにすることができる。すなわち、ヘッドフォンを装着していないかのように見せることができる。もしくは、スタイリッシュな感じに見せることができる。【００２２】
また、この発明のヘッドフォンでは、ヘッドバンドと放音用ハウジングは一体成形されていることが好ましい。【００２３】
この構成では、ヘッドバンドと放音用ハウジングが接着剤や接続機構で繋がれる構造ではないので、ヘッドフォン全体としての強度を高くすることができる。また、見た目を美しくすることができる。
【発明の効果】
【００２４】
この発明によれば、薄型軽量で且つ音質特性の良好なヘッドフォンを実現できる。
【図面の簡単な説明】
【００２５】
【図１】本発明の第１の実施形態に係るヘッドフォンの正面図である。
【図２】本発明の第１の実施形態に係るヘッドフォンの左側面図である。
【図３】本発明の第１の実施形態に係るヘッドフォンの放音部の構成を示す図である。
【図４】本発明の第２の実施形態に係るヘッドフォンの正面図および左側面図である。
【図５】本発明の実施形態に係るヘッドフォンの他の態様を示す外観斜視図である。
【発明を実施するための形態】
【００２６】
本発明の第１の実施形態に係るヘッドフォンについて、図を参照して説明する。図１は、本発明の第１の実施形態に係るヘッドフォンの正面図である。図２は、本発明の第１の実施形態に係るヘッドフォンの左側面図である。
【００２７】
ヘッドフォン１０は、ヘッドバンド１１、放音部１２Ｌ，１２Ｒ、およびスペーサ１３Ｌ，１３Ｒを備える。ヘッドバンド１１は、ポリマーを材料とする。例えば、ヘッドバンド１１には、ポリカーボネイト（ＰＣ）樹脂、アクリル（ＰＭＭＡ）樹脂、ポリエチレンテレフタレート（ＰＥＴ）樹脂、ＡＢＳ樹脂、ポリ塩化ビニル（ＰＶＣ）樹脂等を利用することができる。この際、ヘッドバンド１１は、透明もしくは半透明であることが好ましい。
【００２８】
ヘッドバンド１１は、正面視してアーチ状からなる帯状体からなる。言い換えれば、ヘッドバンド１１は、長尺状であり、長尺方向に沿って湾曲する形状からなる。
【００２９】
放音部１２Ｌ，１２Ｒは、平板状である。放音部１２Ｌは、ヘッドバンド１１の長尺方向の一方端に接合されており、放音部１２Ｒは、ヘッドバンド１１の重畳方向の他方端に接続されている。放音部１２Ｌ，１２Ｒの平板面が、放音部１２Ｌ，１２Ｒの振動面となる。
【００３０】
放音部１２Ｌ，１２Ｒは、その平板面が略対向するように配置されている。この際、放音部１２Ｌ，１２Ｒの正面側端部の間隔は、背面側端部と略同じであるとよく、より好ましくは、放音部１２Ｌ，１２Ｒの正面側端部の間隔は、背面側端部の間隔よりも狭い。放音部１２Ｌ，１２Ｒの正面側端部の間隔を、背面側端部の間隔よりも狭くした態様では、人の耳の形状に沿った振動面を形成することができるので、音を耳（鼓膜）に向けて、より効果的に放音することができる。
【００３１】
放音部１２Ｌ，１２Ｒは、放音用ハウジング１２０、圧電アクチュエータ２０、および保護膜１２１を備える。図３は、本発明の第１の実施形態に係るヘッドフォンの放音部の構成を示す図であり、図３（Ａ）はヘッドフォンの左側面から見た図であり、図３（Ｂ）は図３（Ａ）におけるＡ−Ａ’断面図である。なお、図３では、放音部１２Ｌを例に説明するが、放音部１２Ｒも同じ構造である。ここでは、放音部１２Ｌのみを説明する。
【００３２】
放音用ハウジング１２０は、平板状の絶縁性樹脂からなる。放音用ハウジング１２０は、ヘッドバンド１１と異なる材料であってもよく、同じ材料であってもよい。放音用ハウジング１２０とヘッドバンド１１を同じ材料とする場合、放音用ハウジング１２０はヘッドバンド１１と一体成形するとよい。
【００３３】
圧電アクチュエータ２０は、平膜状であり、放音用ハウジング１２の平板面に装着されている。この際、圧電アクチュエータ２０は、圧電アクチュエータ２０の平膜面が放音用ハウジング１２０の平板面と平行になるように、装着されている。この装着には、例えば、接着剤を用いればよい。なお、圧電アクチュエータ２０は、放音用ハウジング１２０の内周側の面に装着されていても、外周側の面に装着されていてもよい。放音用ハウジング１２０の圧電アクチュエータ２０が装着されている面には、圧電アクチュエータ２０を覆う形状で保護膜１２１が形成されている。保護膜１２１は、絶縁性材料からなる。例えば、保護膜１２１は、ＰＥＴフィルムからなる。この保護膜１２１を備えることで、圧電アクチュエータ２０を外部環境から保護することができる。また、圧電アクチュエータ２０を、外部環境に対して電気的に絶縁することができる。
【００３４】
圧電アクチュエータ２０は、圧電フィルム２００と、第１駆動用導体２０１および第２駆動用導体２０２を備える。第１駆動用導体２０１は、圧電フィルム２００の一方主面（平膜面）に形成されており、第２駆動用導体２０２は、圧電フィルム２００の他方主面（平膜面）に形成されている。
【００３５】
圧電フィルム２００は、ポリ乳酸（以下、ＰＬＬＡと称する。）もしくはポリフッ化ビニリデン（以下、ＰＶＤＦと称する。）を材料として含んでいる。なお、有機圧電フィルム２００には、ＰＬＬＡ、ＰＶＤＦに限らず、ポリ尿素を含む材料等の圧電性樹脂フィルム、好ましくは圧電定数が高い部類の圧電性樹脂フィルムを用いることができる。有機圧電フィルム２００にＰＬＬＡを用いる場合、有機圧電フィルム２００は、延伸方向に対して各外周辺が略４５°となるように裁断することで、矩形状を形成するとよい。
【００３６】
第１、第２駆動用導体２０１，２０２は、酸化インジウムスズＩＴＯ、ＩＺＯ（登録商標）、酸化亜鉛ＺｎＯ、ポリチオフェン、ポリアニリンを主成分とする材料を用いることができる。また、第１、第２駆動用導体２０１，２０２には、銀ナノワイヤ、カーボンナノチューブ、グラフェン、を用いることができる。さらに、透光性を有する必要が無い場合には、アルミ蒸着電極を用いることもできる。第１、第２駆動用導体２０１，２０２は、信号ケーブル１４Ｌ，１４Ｒに接続されており、当該信号ケーブル１４Ｌ，１４Ｒを介して、放音駆動信号が印加される。
【００３７】
このような構造からなる圧電アクチュエータ２０は、第１、第２駆動用導体２０１，２０２を印加することで、平板面に平行な方向に沿って伸縮する。この圧電アクチュエータ２０の伸縮によって、平板状の放音用ハウジング１２０に応力が加わり、放音用ハウジング１２０は、平板面に直交する方向へ振動する。すなわち、放音用ハウジング１２０が振動板となり、音を発生する。これにより、放音用ハウジング１２０の平板面、すなわち放音部１２Ｌ，１２Ｒの平板面に直交する方向に強い指向性を有する音が発生する。
【００３８】
スペーサ１３Ｌ，１３Ｒは、略円柱形状や楕円柱形状からなり、スペーサ１３Ｌ，１３Ｒの長手方向がヘッドバンド１１の幅方向と一致するように、ヘッドバンド１１に接合されている。スペーサ１３Ｌは、ヘッドバンド１１の長尺方向（伸長する方向）の中央と一方端との途中位置に接合されている。スペーサ１３Ｒは、ヘッドバンド１１の長尺方向（伸長する方向）の中央と他方端との途中位置に接合されている。スペーサ１３Ｌ，１３Ｒは、ヘッドバンド１１の湾曲する内側に接合されている。なお、スペーサ１３Ｌ，１３Ｒは、ユーザが接合位置をかえられるように予め接合しておらず、ユーザが後から適宜接合するようにしてもよい。スペーサ１３Ｌ，１３Ｒは、シリコンやウレタン等の柔らかい材質からなることが好ましい。
【００３９】
以上のような構成とすることで、薄型で軽量のヘッドフォンを実現することができる。さらに、各構成要素は、透光性を有する材料で形成できるので、透明なヘッドフォンを実現することができる。これにより、装着していないように見えるスタイリッシュなヘッドフォンを実現することができる。
【００４０】
このような構成からなるヘッドフォン１０は、図１、図２に示すように、ユーザの頭に装着して利用される。より具体的には、ヘッドフォン１０は、ヘッドバンド１１が頭の形状に沿って配置され、放音部１２Ｌ，１２Ｒがユーザの耳に対向する位置に配置されるように、ユーザの頭に装着される。
【００４１】
ヘッドフォン１０は、頭に装着していない状態、すなわち、外部応力を受けていない状態では、ヘッドバンド１１の湾曲がよりきつく、放音部１２Ｌ，１２Ｒがユーザの顔幅よりも狭い間隔となるような形状である。しかしながら、ヘッドバンド１１に上述のような材料を用いることで、ヘッドバンド１１は弾性を有するため、例えば、ユーザが放音部１２Ｌ，１２Ｒ側の両端を広げるようにすれば、ユーザの頭側に応力が係る状態で、ヘッドフォン１０をユーザの頭に装着することができる。
【００４２】
この際、スペーサ１３Ｌ，１３Ｒがユーザの頭に当接することにより、放音部１２Ｌ，１２Ｒが耳に直接接触することを防止できる。すなわち、スペーサ１３Ｌ，１３Ｒの形状を適宜設定することで、放音部１２Ｌ，１２Ｒを耳に接触させず、近接させることができる。この構成により、ヘッドフォン１０を長時間に亘って装着しても、耳が痛くなることを防止できる。また、耳が放音部１２Ｌ，１２Ｒによって塞がれないので、ヘッドフォン１０からの音を聞きながら、外部環境音を聞くことができる。
【００４３】
また、平膜状の圧電アクチュエータ２０を用いた放音部１２Ｌ，１２Ｒは、電磁コイルを用いた従来の放音部よりも、絶対的な音圧が低くなってしまうが、本実施形態の構成では、放音部１２Ｌ，１２Ｒが耳の近傍にあるので、耳で感じる音量を、十分に実用的な音圧レベルにすることができる。
【００４４】
さらに、平膜状の圧電アクチュエータ２０を用いた放音部１２Ｌ，１２Ｒは、ヘッドフォン１０の内周側だけでなく、外周側にも放音し、低音域では、内周側の音と外周側の音が互いに弱め合うように作用してしまうが、低音域は波長が長く、放音部１２Ｌ，１２Ｒが耳の近傍にあるため、低音域の音は弱め合う作用が生じ難い。したがって、ヘッドフォン１０は、圧電アクチュエータ２０を用いた放音部１２Ｌ，１２Ｒを用いていても、低音域で十分に実用的な音圧レベルを得ることができる。
【００４５】
このように、本実施形態の構成を用いることで、音質特性の良好なヘッドフォンを、薄型且つ軽量で実現することができる。
【００４６】
特に、このような構成からなるヘッドフォン１０は、室外環境よりも室内環境で使用する態様に、より好適である。例えば、パソコン、タブレット端末装置、スマートフォンに接続して使用する態様に、より好適である。
【００４７】
このような環境では、ヘッドフォン１０からの音を聞きながら、室内からの他の音、例えば、チャイム、室内電話、他の人の会話等を聞くことができる。
【００４８】
また、このような構成からなるヘッドフォン１０は、長時間の使用に対して、より好適である。上述のように、本実施形態のヘッドフォン１０は、放音部１２Ｌ，１２Ｒが耳に直接接触しない。したがって、耳が痛くならず、外耳道が蒸れてしまうこともない。したがって、長時間で使用しても不快感を与えない。
【００４９】
なお、本実施形態の圧電アクチュエータ２０は、１枚の圧電フィルムを用いた例を示したが、圧電フィルムを複数層に積層したものであってもよい。この構成とすることで、駆動電圧に対する伸縮量を大きくすることができ、アクチュエーション特性を向上することができる。これにより、より低い駆動電圧の放音駆動信号で、十分に実用的な音圧を放音することができる。
【００５０】
次に、本発明の第２の実施形態に係るヘッドフォンについて、図を参照して説明する。図４（Ａ）は、本発明の第２の実施形態に係るヘッドフォンの正面図であり、図４（Ｂ）は、本発明の第２の実施形態に係るヘッドフォンの左側面図である。
【００５１】
本実施形態のヘッドフォン１０Ａは、第１の実施形態に示したヘッドフォン１０に対して、圧電センサ１５Ｌ，１５Ｒを追加したものであり、他の構成は第１の実施形態に示したヘッドフォン１０と同じである。したがって、第１の実施形態に示したヘッドフォン１０と異なる箇所のみを、具体的に説明する。
【００５２】
圧電センサ１５Ｌ，１５Ｒの基本構造は、圧電アクチュエータ２０と同じである。すなわち、圧電センサ１５Ｌ，１５Ｒは、圧電フィルムの両主面に検出用導体を備えたものである。
【００５３】
圧電センサ１５Ｌは、ヘッドバンド１１の伸長方向に沿った中央と一方端との間に装着されている。より好ましくは、圧電センサ１５Ｌは、ヘッドバンド１１の伸長方向に沿った中央とスペーサ１３Ｌの装着位置との間に装着されている。
【００５４】
圧電センサ１５Ｒは、ヘッドバンド１１の伸長方向に沿った中央と他方端との間に装着されている。より好ましくは、圧電センサ１５Ｒは、ヘッドバンド１１の伸長方向に沿った中央とスペーサ１３Ｒの装着位置との間に装着されている。
【００５５】
圧電センサ１５Ｌ，１５Ｒは、ヘッドバンド１１の内周側の面に装着されている。ヘッドバンド１１の内周側の面には、圧電センサ１５Ｌ，１５Ｒを覆うように絶縁性の保護膜が形成されている。
【００５６】
圧電センサ１５Ｌ，１５Ｒは、検出用配線（図示せず）を介して押圧検出回路（図示せず）に接続されている。検出用配線は、例えば、ヘッドバンド１１、放音部１２Ｌ，１２Ｒ、および信号ケーブル１４Ｌ，１４Ｒに形成されている。押圧検出回路は、例えば、放音駆動信号を発生する装置に備えられている。
【００５７】
このような構成とすることで、ヘッドバンド１１に押圧力を加えて、ヘッドバンド１１が変形すると、このヘッドバンド１１の変形に伴って圧電センサ１５Ｌ，１５Ｒの圧電フィルムが変位する。この変位によって発生する電荷を検出用導体で検出することで、ヘッドバンドの押圧を検出することができる。押圧検出回路では、この押圧の検出信号に応じたコマンドが予め記憶されており、検出信号に基づいてコマンドを決定し、放音駆動信号を発生する放音制御部に与える。放音制御部は、このコマンドにしたがって、放音駆動信号の信号レベルを変化させたり、放音駆動信号の生成、停止を制御する。
【００５８】
このように、本実施形態の構成を用いることで、ヘッドバンド１１に押圧力をかけるだけで、放音制御を行うことができる。これにより、容易な操作で放音制御を行うことができる。例えば、ヘッドバンド１１の左側面側を押すと、放音駆動信号の信号レベルを高くし、ヘッドバンド１１の右側面側を押すと、放音駆動信号の信号レベルを低くする等の放音制御を行うことができる。
【００５９】
ここで、ヘッドバンド１１の左側面側を押した場合、圧電センサ１５Ｌだけでなく、圧電センサ１５Ｒからも電荷が発生する。しかしながら、ヘッドバンド１１の左側面側を押した場合には、圧電センサ１５Ｌの発生電荷量が、圧電センサ１５Ｒの発生電荷量よりも大きくなるので、押圧検出回路で、これらの発生電荷量を比較して、発生電荷量の大きな方を選択することで、コマンドを正確に検出することができる。
【００６０】
実際の操作は押圧を加えるという操作のほかに、ヘッドバンド１１をトントンと叩くような操作としてもよい。押圧時の信号と、トントンと叩いた際の信号は波形が異なるので、この波形の違いを認識してそれぞれ別の操作に割り当ててもよい。例えば、ヘッドバンド１１の右側を叩いた場合は、音楽のＯＮ、ＯＦＦ、左側を叩いた場合は曲の選択、また、右側を押さえた場合は音量のアップ、左側を押さえた場合は音量のダウン等である。
【００６１】
このように、本実施形態の構成を用いることで、音質特性に優れ、操作入力も行うことができるヘッドフォンを薄型且つ軽量に実現することができる。
【００６２】
なお、圧電センサ１５Ｌ，１５Ｒに替えて、静電容量式のタッチ検出センサを用いてもよい。この場合、一次元の位置検出が可能な静電容量式の位置検出センサを用いれば、操作検出方向によって、放音駆動信号の信号レベル制御を受け付けることができる。
【００６３】
さらには、圧電センサ１５Ｌ，１５Ｒと静電容量式の位置検出センサとをともに用いてもよい。この際、圧電センサ１５Ｌ，１５Ｒと静電容量式の位置検出センサを別の位置に配置してもよく、積層して配置してもよい。これにより、さらに多様な操作入力を受け付けることができる。
【００６４】
例えば、圧電センサ１５Ｌ，１５Ｒによる押圧検出で、操作入力のウェイクアップやオン／オフを受け付け、静電容量式の位置検出センサで具体的な放音駆動信号の信号レベルに対する操作を受け付けることができる。この例であれば、不用意にヘッドバンド１１を触っても、放音駆動信号の信号レベル制御が実行されず、意図した時にのみ、放音駆動信号の信号レベル制御を実行することができる。この際、操作入力の受け付けが可能なった時点で、放音部１２Ｌ，１２Ｒから、受け付け可能を示す音を放音することもできる。
【００６５】
なお、上述の各実施形態では、スペーサ１３Ｌ，１３Ｒを備えているが、当該スペーサ１３Ｌ，１３Ｒは、省略することもできる。
【００６６】
また、上述の各実施形態では、放音部１２Ｌ，１２Ｒを平面視した形状（ヘッドフォン１０，１０Ａを側面視した形状）が略矩形である場合を示したが、この形状に限るものではない。例えば、図５に示す形状であってもよい。図５は、本発明の実施形態に係るヘッドフォンの他の態様を示す外観斜視図である。
【００６７】
ヘッドフォン１０Ｂは、ヘッドバンド１１Ｂと放音部１２ＬＢ，１２ＲＢ（より正確には放音部１２ＬＢ，１２ＲＢの放音用ハウジング１２０）が一体成形されている。放音部１２ＬＢ，１２ＲＢには、図示しない平膜状の圧電アクチュエータが備えられている。放音部１２ＬＢ，１２ＲＢは、球形の一部を切り取ったような形状であり、外側に膨らむ形状からなる。このような形状とすることで、耳を密閉することなく緩やかに覆うことができる。この際、スペーサを用いなくてもよい。
【００６８】
また、上述の実施形態のヘッドフォンに対して、断線検出部を追加してもよい。断線検出部は、上述の放音制御部や押圧検出回路をともに構成すればよい。断線検出部は、信号ケーブル１４Ｌ，１４Ｒを介して圧電アクチュエータ２０に接続されている。断線検出部は、可聴域よりも高周波の断線検出用信号を信号ケーブル１４Ｌ，１４Ｒを介して圧電アクチュエータ２０に与え、当該断線検出信号を観測する。信号ケーブル１４Ｌ，１４Ｒや、当該信号ケーブル１４Ｌ，１４Ｒと圧電アクチュエータ２０との接続部に断線が生じた場合、断線検出部は、断線検出信号が当該信号ケーブル１４Ｌ，１４Ｒと圧電アクチュエータ２０からなる閉回路を流れていないことを検出することができる。これを検出することで、断線検出部は断線を検出し、放音制御部は放音駆動信号の停止を行うことができる。この際、断線検出信号は、可聴域よりも高周波数側の信号であるので、圧電アクチュエータ２０は、当該断線検出信号に対して単にキャパシタとして作用する。したがって、断線検出信号による音は殆ど発生せず、ユーザに不快感を与えない。なお、ここでは、断線のみを検出する場合を示したが、圧電アクチュエータが断線検出信号に対してキャパシタとして作用することを利用して、上記閉回路のインピーダンスを測定し、当該インピーダンスの変化から、圧電アクチュエータの異常検出を行うこともできる。
【００６９】
また、上述の実施形態では、放音用ハウジング１２０の厚みを一定にする例を示したが、圧電アクチュエータ２０が装着される範囲だけ薄くする等、厚みを部分的に異ならせてもよい。例えば、圧電アクチュエータ２０が伸長する方向の両端の厚みを厚くし、他の部分の厚みを薄くする。これにより、放音用ハウジング１２０をより効果的に振動させることができる。
【符号の説明】
【００７０】
１０，１０Ａ，１０Ｂ：ヘッドフォン
１１，１１Ｂ：ヘッドバンド
１２Ｌ，１２Ｒ，１２ＬＢ，１２ＲＢ：放音部
１３Ｌ，１３Ｒ：スペーサ
１４Ｌ，１４Ｒ：信号ケーブル
１５Ｌ，１５Ｒ：圧電センサ
２０：圧電アクチュエータ
１２０、放音用ハウジング
１２１：保護膜
２００：圧電フィルム
２０１：第１駆動用導体
２０２：第２駆動用導体
【図１】
2015045993.tif 000003
【図２】
2015045993.tif 000004
【図３】
2015045993.tif 000005
【図４】
2015045993.tif 000006
【図５】
2015045993.tif 000007
【手続補正書】
【提出日】平成28年3月15日(2016.3.15)
【手続補正１】
【補正対象書類名】特許請求の範囲
【補正対象項目名】全文
【補正方法】変更
【補正の内容】
【特許請求の範囲】
【請求項１】
アーチ形状のヘッドバンドと、
該ヘッドバンドの両端に装着された放音用ハウジングと、を備えるヘッドフォンであって、
前記放音用ハウジングは平板状であり、
該放音用ハウジングの平板面には、
有機圧電フィルムおよび駆動用導体を備えた平膜状の圧電アクチュエータが装着されており、
前記放音用ハウジングは、前記圧電アクチュエータの平板面に平行な方向に沿った伸縮により前記平板面に直交する方向へ振動する、
ことを特徴とするヘッドフォン。
【請求項２】
前記放音用ハウジングのうち、前記圧電アクチュエータが装着される範囲は、その他の範囲よりも厚みが薄くなっている、
請求項１に記載のヘッドフォン。
【請求項３】
前記放音用ハウジングのうち、前記圧電アクチュエータが伸縮する方向の両端部は、その他の部分のよりも厚みが薄くなっている、
請求項１に記載のヘッドフォン。
【請求項４】
前記ヘッドバンドの内周面における前記アーチ形状が伸長する方向の中央と両端との間の特定位置に、スペーサ部材を備える、
請求項１〜３のいずれかに記載のヘッドフォン。
【請求項５】
前記ヘッドバンドには、有機圧電フィルムおよび検出用導体を備えた平膜状の圧電センサが装着されている、請求項１〜４のいずれかに記載のヘッドフォン。
【請求項６】
前記有機圧電フィルムの少なくとも１層はポリ乳酸からなる、
請求項１〜５のいずれかに記載のヘッドフォン。
【請求項７】
前記有機圧電フィルムの少なくとも１層はポリフッ化ビニリデンからなる、
請求項１〜５のいずれかに記載のヘッドフォン。
【請求項８】
前記放音用ハウジングは、透光性を有する絶縁性材料からなり、
前記駆動用導体は、透光性を有する導電性材料からなる、
請求項１〜６のいずれかに記載のヘッドフォン。
【請求項９】
前記ヘッドバンド、前記放音用ハウジング、および、前記スペーサ部材は、透光性を有する絶縁性材料からなり、
前記圧電アクチュエータは、透光性を有する材料からなる、
請求項４に記載のヘッドフォン。
【請求項１０】
前記ヘッドバンド、および、前記放音用ハウジングは、透光性を有する絶縁性材料からなり、
前記圧電アクチュエータおよび前記圧電センサは、透光性を有する材料からなる、
請求項５に記載のヘッドフォン。
【請求項１１】
前記ヘッドバンドと前記放音用ハウジングは一体成形されている、
請求項９または請求項１０に記載のヘッドフォン。
【国際調査報告】
2015045993.tif 000008
2015045993.tif 000009
2015045993.tif 000010
2015045993.tif 000011